(57)【要約】【課題】屋内でも屋外と同様に撮影画像のヘッダ部に位置情報を記録することが可能なデジタルカメラを提供する。【解決手段】デジタルカメラ１において、位置情報を記憶可能なＳＤＲＡＭ１３と、現在位置を検出するＧＰＳ受信機２から位置情報を取得して、取得した位置情報をＳＤＲＡＭ１３に保存する位置取得部３１と、撮像画像のフラッシュメモリ１６への保存の際に、ＳＤＲＡＭ１３に記憶された位置情報を、撮像画像のヘッダ部に記録して撮像画像を保存する位置記録部３２とを備えた。【選択図】        図３
2007202110.tif 000002
【特許請求の範囲】
【請求項１】
位置情報を記憶可能な位置記憶部と、
現在位置を検出する位置検出装置から位置情報を取得して、取得した前記位置情報を前記位置記憶部に保存する位置取得部と、
撮像画像を、前記位置記憶部に記憶された前記位置情報とともに前記画像記憶部に保存する記録する保存部と、
を備えたことを特徴とする撮像装置。
【請求項２】
前記撮像画像および各種画面が表示可能であり、利用者からの入力操作が可能な操作表示部と、
前記位置情報の消去タイミングの設定入力を行わせる画面を前記操作表示部に表示する表示制御部と、
前記操作表示部から前記消去タイミングの設定入力を受付ける入力制御部と、を備え、
前記位置取得部は、さらに、入力を受け付けた前記消去タイミングで前記位置記憶部に保存されている前記位置情報を消去することを特徴とする請求項１に記載の撮像装置。
【請求項３】
前記入力制御部は、さらに、位置情報の記録命令の入力を受付け、
前記位置取得部は、前記記録命令の入力を受け付けた時点で、前記位置情報を前記位置記憶部に保存することを特徴とする請求項２に記載の撮像装置。
【請求項４】
前記保存部は、前記撮像画像を、撮影の際に前記位置取得部によって取得された前記位置情報とともに前記画像記憶部に保存することを特徴とする請求項１に記載の撮像装置。
【請求項５】
前記位置情報の使用モードを設定情報として記憶可能な設定情報記憶部と、
前記使用モードを前記設定情報記憶部に設定するモード制御部と、をさらに備え、
前記表示制御部は、さらに、前記使用モードの設定を入力させる画面を前記操作表示部に表示し、
前記入力制御手段は、さらに、前記操作表示部から利用者による前記使用モードとして、撮影の際に前記位置取得部によって取得された前記位置情報のみを前記ヘッダ部に記録するリアルタイム位置情報使用モードの入力を受付け、
前記モード制御部は、前記リアルタイム位置情報使用モードの入力を受付けた場合に、前記リアルタイム位置情報使用モードを前記使用モードとして前記設定情報記憶部に設定し、
前記保存部は、前記設定情報記憶部に前記リアルタイム位置情報使用モードが設定されている場合には、前記撮像画像を、撮影の際に前記位置取得部によって取得された前記位置情報とともに前記画像記憶部に保存することを特徴とする請求項４に記載の撮像装置。
【請求項６】
前記入力制御手段は、さらに、前記操作表示部から利用者による前記使用モードとして、前記位置取得部による前記位置情報の検出可能、検出不能にかかわらず、前記位置記憶部に記憶された前記位置情報を前記ヘッダ部に記録する前記使用モードである記録位置情報使用モードの入力を受付け、
前記モード制御部は、前記記録位置情報使用モードの入力を受付けた場合に、前記使用モードとして前記記録位置情報使用モードを前記設定情報記憶手段に設定し、
前記保存部は、前記設定情報記憶手段に前記記録位置情報使用モードが設定されている場合には、前記撮像画像を、前記位置記憶部に記憶された前記位置情報とともに前記画像記憶部に保存することを特徴とする請求項５に記載の撮像装置。
【請求項７】
前記モード制御部は、前記位置取得部によって前記位置記憶部に前記位置情報が記録された時点で、前記設定情報記憶部に、前記使用モードとして前記記録位置情報使用モードを設定することを特徴とする請求項６に記載の撮像装置。
【請求項８】
前記保存部は、前記位置取得部により前記位置情報を検出可能な場合には、前記撮像画像を、撮影時に検出された前記位置情報とともに前記画像記憶部に保存し、前記位置取得部により前記位置情報を検出不能の場合には、前記撮像画像を、前記位置記憶部に記憶された前記位置情報とともに前記画像記憶部に保存することを特徴とする請求項７に記載の撮像装置。
【請求項９】
前記入力制御手段は、さらに、前記操作表示部から利用者による前記使用モードとして、撮影時に検出された前記位置情報の前記ヘッダ部への記録と前記位置記憶部に記憶された前記位置情報の前記ヘッダ部への記録とを併用する前記使用モードである位置情報併用モードの入力を受付け、
前記モード制御部は、前記位置情報併用モードの入力を受付けた場合に、前記使用モードとして前記位置情報併用モードを前記設定情報記憶手段に設定し、
前記保存部は、前記設定情報記憶手段に前記位置情報併用モードが設定されている場合において、前記位置取得部により前記位置情報を検出可能な場合には、前記撮像画像を、撮影時に検出された前記位置情報とともに前記画像記憶部に保存し、前記位置取得部により前記位置情報を検出不能の場合には、前記撮像画像を、前記位置記憶部に記憶された前記位置情報とともに前記画像記憶部に保存することを特徴とする請求項８に記載の撮像装置。
【請求項１０】
前記モード制御部は、前記位置取得部によって前記位置記憶部に前記位置情報が記録された時点で、前記設定情報記憶部に、前記使用モードとして前記位置情報併用モードを設定することを特徴とする請求項９に記載の撮像装置。
【請求項１１】
前記表示制御部は、前記位置情報を前記操作表示部に表示することを特徴とする請求項１に記載の撮像装置。
【請求項１２】
前記表示制御部は、前記位置取得部による前記位置情報の取得が可能か否かによって、前記操作表示部に表示する前記位置情報の表示形態を変更することを特徴とする請求項１１に記載の撮像装置。
【請求項１３】
前記表示制御部は、前記位置取得部による前記位置情報の取得が可能か否かによって、前記操作表示部に表示する前記位置情報の文字色を変更することを特徴とする請求項１２に記載の撮像装置。
【請求項１４】
現在位置を検出する位置検出装置から位置情報を取得して、取得した前記位置情報を位置記憶部に保存し、
撮像画像を、前記位置記憶部に記憶された前記位置情報とともに前記画像記憶部に保存する記録する、
ことを含む位置情報記録方法。
【請求項１５】
請求項１４に記載の方法をコンピュータに実行させるプログラム。
【発明の詳細な説明】
【技術分野】
【０００１】
本発明は、位置情報を取得することが可能な撮像装置、位置情報記録方法およびプログラムに関する。
【背景技術】
【０００２】
近年、携帯型ＧＰＳ受信機の普及に伴い位置情報を利用したＧＩＳシステム（地理情報システム）が普及しつつある。ＧＩＳ（Geographic Information Service）システムは例えば、災害発生時の状況調査や、不動産関連、道路工事等、さまざまな分野で利用され、今後も市場ニーズが増えることが予測される。
【０００３】
ところでこのシステムにおいては、デジタルカメラも使用されることがあり、例えば災害現場の状況調査用のＧＩＳシステムにおいては、被災状況をデジタルカメラで撮影し、後で地図データと関連付けて報告書等を作成することがある。このように、ＧＩＳシステムにおいては、デジタルカメラで撮影した画像と、撮影位置情報等のその画像に関連した情報を関連付けるニーズがある。
【０００４】
このようなニーズに応える技術としては、例えば特許文献１に示されるように、デジタルカメラとＧＰＳ受信機を接続し、ＧＰＳ受信機からの位置情報をデジタルカメラに入力し、デジタルカメラでは撮影した画像のヘッダ部に位置情報（ＧＰＳ情報）を含める技術がある。この技術により、撮影画像の位置情報が同じ画像ファイル内に記録され、画像の管理面での効率化が実現されている。
【０００５】
【特許文献１】特開２００４−３５７３４３公報
【発明の開示】
【発明が解決しようとする課題】
【０００６】
ところが、ＧＰＳ受信機は通常屋外のみで使用可能であり、例えば、建物内で撮影した画像の場合は、その撮影画像には位置情報を記録することは不可能であるという問題がある。
【０００７】
本発明は、このような問題点に鑑みてなされたものであり、屋内でも屋外と同様に撮影画像のヘッダ部に位置情報を記録することが可能な撮像装置、位置情報記録方法およびプログラムを提供することを目的とする。
【課題を解決するための手段】
【０００８】
本発明は、位置情報を記憶可能な位置記憶部と、現在位置を検出する位置検出装置から位置情報を取得して、取得した前記位置情報を前記位置記憶部に保存する位置取得部と、撮像画像を、前記位置記憶部に記憶された前記位置情報とともに前記画像記憶部に保存する記録する保存部と、を備えたことを特徴とする。
【０００９】
また、本発明は、上記撮像装置で実行される位置情報記録方法、プログラムである。
【発明の効果】
【００１０】
本発明によれば、ＧＰＳ受信機等の位置検出装置が位置情報を検出することができない屋内等の場所であっても、撮影画像のヘッダ部に位置情報を記録することが可能となり、ユーザにとって撮像画像の位置情報記録の便宜となるという効果を奏する。
【発明を実施するための最良の形態】
【００１１】
以下に添付図面を参照して、この発明にかかる撮像装置、方法およびプログラムの最良な実施の形態を詳細に説明する。本実施の形態は、本発明の撮像装置をデジタルカメラに適用したものである。ただし、これに限定されるものではなく、撮像機能を備えた各種装置、例えば携帯端末などに本発明を適用することも可能である。
【００１２】
図１はＧＩＳシステムの構成図である。本実施の形態のＧＩＳシステムは、デジタルカメラ１とBluetooth（登録商標）規格に準拠したＧＰＳ受信機２と位置情報捕捉用のＧＰＳ衛星３とからなる。
【００１３】
デジタルカメラ１は、ＧＰＳ受信機２から位置情報を取得するための通信機器を備えている。本実施の形態ではこの通信機器としてBluetooth（登録商標）規格に準拠した無線送受信機を挙げる。デジタルカメラ１とＧＰＳ受信機２は通信媒体４で接続されている。ＧＰＳ受信機２とＧＰＳ衛星３はＧＰＳ用通信媒体５で接続されている。
【００１４】
通信媒体４は、Bluetooth（登録商標）等の無線であり、この他、ＲＳ２３２Ｃ等の有線ケーブル等を用いることができる。また、ＧＰＳ受信機２の代わりに撮影位置検出装置としてコンパクトフラッシュ（登録商標）カードを使用する場合は、コンパクトフラッシュ（登録商標）カードとデジタルカメラ１の接続部分が該当する。
【００１５】
図２は、本実施の形態に係るデジタルカメラのハードウェア構成を示すブロック図である。デジタルカメラ１において、ＣＰＵ１１はデジタルカメラ全体を制御する。ＲＯＭ１２は実施の形態の制御を実現するプログラム等が格納されている。ＳＤＲＡＭ１３は、ＧＰＳ受信貴２で受信して取得した位置情報（ＧＰＳ位置情報）を記憶可能な記憶媒体である。
【００１６】
フラッシュメモリ（不揮発性メモリ）１６はデジタルカメラ１のセットアップ情報や後述する位置情報使用モード等の設定情報や撮像画像等が保存される記憶媒体である。
【００１７】
Bluetooth（登録商標）回路１７は、Bluetooth（登録商標）規格に準拠した通信方式で無線送受信を行うことができる通信回路である。本実施の形態では、ＧＰＳ受信機２から位置情報を取得するための通信機器として使用する。
【００１８】
操作表示部１８は、撮像画像および各種画面が表示可能なインタフェースであり、例えば液晶ディスプレイ、キーボタン、シャッターボタン、モードダイヤル等である。
【００１９】
デジタルカメラ機能部１９は、撮像機能や位置情報記録機能を有する処理部である。図３は、デジタルカメラ機能部１９のソフトウェア構成を示す機能ブロック図である。デジタルカメラ機能部１９は、図３に示すように、位置取得部３１と、位置記録部３２と、モード制御部３３と、入力制御部３５と、表示制御部３４とを主に備えている。
【００２０】
位置取得部３１は、ＧＰＳ受信機２からBuluetooth回路１７を介して現在の位置情報を一定時間ごとに取得して、取得した位置情報をＳＤＲＡＭ１３に保存する処理部である。
【００２１】
また、また、位置取得部３１は、操作表示部１８から利用者によって記録命令の操作入力を受け付けた記録タイミングで、取得した位置情報を位置情報をＳＤＲＡＭ１３に保存する。
【００２２】
位置取得部３１で取得した位置情報は、具体的には緯度、経度からなるデータであり、リアルタイム位置情報として一時的にＳＤＲＡＭ１３に保存される他、記録位置情報としてＳＤＲＡＭ１３に一定期間保存される。
【００２３】
また、位置取得部３１は、操作表示部１８から利用者によって操作入力を受け付けた消去タイミングでＳＤＲＡＭ１３に保存されている記録位置情報を消去する処理を行う。
【００２４】
モード制御部３３は、位置情報の使用モードをフラッシュメモリ１６に設定情報として記憶することによりモード設定を行う処理部である。
【００２５】
位置情報使用モードとしては、リアルタイム位置情報使用モード、記録位置情報使用モード、位置情報併用モードがある。
【００２６】
リアルタイム位置情報使用モードは、撮影の際に位置取得部３１によって取得された位置情報のみをリアルタイムに撮像画像のＥｘｉｆヘッダ部に記録するモードである。
【００２７】
記録位置情報使用モードは、位置取得部３１による位置情報の検出可能、検出不能にかかわらず、ＳＤＲＡＭ１３に記録位置情報として保存されている位置情報を撮像画像のＥｘｉｆヘッダ部に記録するモードである。
【００２８】
位置情報併用モードは、撮影時に検出された位置情報の撮像画像のＥｘｉｆヘッダ部への記録とＳＤＲＡＭ１３に記録位置情報として記憶されている位置情報の撮像画像のＥｘｉｆヘッダ部への記録とを併用するモードである。
【００２９】
ここで、撮像画像のデータ構造について説明する。図４は、撮像画像のデータ構造図である。撮像画像は、図４に示すように、Ｅｘｉｆヘッダ部と画像データとから構成される。Ｅｘｉｆヘッダ部は、Ｅｘｉｆ（Exchangeable Image File Format）のデータ形式に準拠したヘッダ情報であり、Ｅｘｉｆヘッダ部のＧＰＳ領域の緯度・経度フィールドに位置取得部３１により取得した位置情報が記録される。
【００３０】
各位置情報使用モードは、操作表示部１８からの利用者による設定入力により選択される。
【００３１】
また、モード制御部３３は、位置取得部３１によってＳＤＲＡＭ１３に位置情報が記録された時点で、フラッシュメモリ１６に位置情報使用モードとして記録位置情報使用モードを記憶することにより、記録位置情報使用モードへの移行を行うように制御する処理を行う。
【００３２】
また、モード制御部３３は、位置取得部３１によってＳＤＲＡＭ１３に位置情報が記録された時点で、フラッシュメモリ１６に位置情報併用モードを設定情報として保存することにより、位置情報併用モードへ移行するように制御する処理を行う。
【００３３】
位置記録部３２は、撮像画像のフラッシュメモリ１６への保存の際に、ＳＤＲＡＭ１３に記憶された記録位置情報またはリアルタイム位置情報を、撮像画像のＥｘｉｆヘッダ部に記録する処理部である。これにより、撮像画像が位置情報ともにフラッシュメモリ１６に保存されることになる。
【００３４】
具体的には、位置記録部３２は、設定情報としてリアルタイム位置情報使用モードが設定されている場合には、撮影の際に位置取得部３１によって取得されたリアルタイム位置情報を撮像画像のＥｘｉｆヘッダ部に記録する。
【００３５】
また、位置記録部３２は、設定情報として記録位置情報使用モードが設定されている場合には、ＳＤＲＡＭ１３に記録位置情報として保存されている位置情報を撮像画像のＥｘｉｆヘッダ部に記録する。
【００３６】
さらに、位置記録部３２は、設定情報として位置情報併用モードが設定されている場合において、屋外などにいるため位置取得部３１により位置情報を検出可能な場合には、撮影時に検出されたリアルタイムな位置情報を撮像画像のＥｘｉｆヘッダ部に記録し、屋内などにいるため位置取得部３１により位置情報を検出不能な場合には、ＳＤＲＡＭ１３に記憶された記録位置情報を撮像画像のＥｘｉｆヘッダ部に記録する。
【００３７】
表示制御部３４は、ＧＰＳ位置情報取得および位置情報記録の機能を使用の有無を指定するセットアップ画面、位置情報使用モードの設定を入力させるセットアップ画面、ＳＤＲＡＭ１３の記録位置情報の消去タイミングの設定入力を行わせるセットアップ画面、モード移行の指定入力を行わせるセットアップ画面および位置情報が表示された撮像画像を、操作表示部の液晶表示部に表示する制御を行う処理部である。
【００３８】
図５は、ＧＰＳによる位置情報取得および位置情報記録の機能の使用の有無を指定するセットアップ画面の一例を示す模式図である。セットアップ画面には、ＧＰＳによる位置情報取得および位置情報記録の機能の使用の有無を設定するための項目「ＧＰＳ使用」が表示され、ＯＮとＯＦＦとを選択できるようになっている。かかる指定は、そのままフラッシュメモリ１６に位置情報取得・記録の機能の使用の有無を示す設定情報として保存される。
【００３９】
図６は、位置情報使用モードの設定を入力させるセットアップ画面の一例を示す模式図である。図６に示すように、「モード選択」を指定すると、リアルタイム位置情報使用モードの選択のための「リアルモード」、記録位置情報使用モードの選択のための「記録」、位置情報併用モードの選択のための「併用」が表示され、いずれかを指定するようになっている。
【００４０】
図７は、ＳＤＲＡＭ１３の記録位置情報の消去タイミングの設定入力を行わせるセットアップ画面の一例を示す模式図である。図７に示すように、「記録位置消去タイミング」の項目において、記録されてからの経過時間を利用者が入力可能となっている。この経過時間はフラッシュメモリ１６に設定情報として記憶され、位置取得部３１は、位置情報をＳＤＲＡＭ１３に記録位置情報として記録した後、かかる設定情報を参照して、記録時から経過時間が経過した後、ＳＤＲＡＭ１３から記録位置情報を消去する。
【００４１】
図８は、モード移行の指定入力を行わせるセットアップ画面の一例を示す模式図である。図８に示すように、「モード切替え」の項目には、「ＯＦＦ」、「記録」、「併用」のサブ項目が表示され、「ＯＦＦ」が設定された場合には、フラッシュメモリ１６に設定情報として記憶され、モード制御部３３によって、設定情報が「ＯＦＦ」の場合には、モード移行を行わず、「記録」の場合には記録位置情報使用モードへ移行し、「併用」の場合には位置情報併用モードへ移行するように制御する。
【００４２】
また、表示制御部３４は、位置取得部３１による位置情報の取得が可能か否かによって、位置情報の文字色を変更して操作表示部１８に表示する。具体的には、位置情報の取得が可能な場合には位置情報を白色で表示し、位置情報の取得が不可能な場合には既に表示中のリアルタイムな位置情報をオレンジ色で表示し、ＳＤＲＡＭ１３に記録位置情報として保存されている位置情報を表示する場合には位置情報を青色で表示する。
【００４３】
入力制御部３５は、操作表示部１８から記録命令の指示および消去タイミングの設定入力、各位置情報使用モードの設定入力、モード移行の設定入力を受け付ける処理部である。
【００４４】
本実施の形態は、上述したようにＧＰＳ情報を捕捉できない特に屋内環境において、撮影画像にＧＰＳ情報を付加するものである。図９は、本実施の形態のデジタルカメラの使用態様を示す説明図である。
【００４５】
ユーザ２１はある建物２２の中の被写体２３（例えば建物２２内にある食堂）を位置情報付きで撮影したいと所望する。しかしながら、従来のシステムの場合は、建物２２の中においてはＧＰＳ衛星３の電波は届かないため位置情報を捕捉することができなかった。
【００４６】
そこで、本実施の形態では、ユーザ２１はまず、建物２２の外でＧＰＳ受信機２を用いて位置情報を捕捉する。捕捉できたら捕捉した位置情報（ＧＰＳ位置情報）をその場でデジタルカメラ１のＳＤＲＡＭ１３内に記録位置情報として記録する。ユーザ２１は記録をしたら建物２２内に入り、被写体２３を撮影する。このとき、撮影画像のヘッダ部には建物２２の外で捕捉した記録位置情報が記録される。
【００４７】
次に、以上のように構成された本実施の形態にかかるデジタルカメラの動作について説明する。図１０、図１１−１および図１１−２は、本実施の形態のデジタルカメラにおける位置情報記録処理の手順を示すフローチャートである。
【００４８】
ユーザはまずデジタルカメラ１の電源を投入する（ＯＮにする）と（ステップＳ１）、デジタルカメラ１は起動後に、ＧＰＳ受信機２との接続を開始する（ステップＳ２）。なお、図１０、１１Ａ、１１Ｂでは、設定情報としてＧＰＳによる位置情報取得・記録の機能の使用の有無がＯＮ（使用する）となっていることを前提に説明する。「ＯＦＦ」の場合には、以下の処理は実行されない。
【００４９】
本実施形態ではデジタルカメラ１とＧＰＳ受信機２はBluetooth（登録商標）で接続されるため、このステップではデジタルカメラ１とＧＰＳ受信機２とのBluetooth（登録商標）接続を開始するということになる。正常に接続が完了したらデジタルカメラ１はＧＰＳ受信機２からの位置情報取得を開始する。位置情報はＧＰＳ受信機２から周期的に送信されてくる。この周期は例えば１秒等である。
【００５０】
ユーザ２１は建物２２内の被写体２３を位置情報付きで撮影しようとするが、建物２２内では位置情報を捕捉できないため、あらかじめ建物２２の前で位置情報を捕捉する。このとき、ユーザ２１はデジタルカメラ１の操作表示部１８から所定のボタン等を押下することにより、デジタルカメラ１のＣＰＵ１１に対して、現在捕捉中の位置情報の記録命令を行う。そして、記録命令の入力を受け付けた場合には（ステップＳ３：Ｙｅｓ）、現在捕捉中の位置情報をＳＤＲＡＭ１３へ記録する（ステップＳ４）。なお、ＳＤＲＡＭ１３に記録された位置情報は図７のセットアップ画面で入力された経過時間が経過すると位置取得部３１によって自動的に消去される。
【００５１】
次に、モード制御部３３は、フラッシュメモリ１６の設定情報を参照し、現在設定されている位置情報使用モードを識別し（ステップＳ５）、各々のモードに依存した処理ループへと入る。
【００５２】
また、位置情報使用モードがあらかじめ「リアルタイム位置情報使用モード」に設定されている場合は、ユーザ２１が位置情報をデジタルカメラ１のＳＤＲＡＭ１３に記録した（ステップＳ４）時点で、自動的に「記録位置情報使用モード」または「位置情報併用モード」へモードの切り替えを行うことも可能である。このように、デジタルカメラ１のＳＤＲＡＭ１３に位置情報が記録された時点で自動的に切り替えるか否かの設定に関しては、上述した図８のセットアップ画面で予め設定しておけばよい。
【００５３】
以下、各々の位置情報使用モードについて説明する。
【００５４】
「リアルタイム位置情報使用モード」では、リアルタイムに捕捉された位置情報のみを使用する。そして、位置取得部３１によって位置情報が捕捉されているか否かを判断し（ステップＳ７）、屋内環境等、ＧＰＳ受信機２が位置情報を捕捉できない場合には（ステップＳ７：Ｎｏ）、表示制御部３４は、位置情報が捕捉できていない旨を、操作表示部１８に表示してユーザに通知し、リアルタイムな位置情報が表示されている場合には、その位置情報の文字色をオレンジ色に変更して表示する（ステップＳ８）。そして、ＳＤＡＲＭの位置情報を消去して（ステップＳ９）、後述するステップＳ１１へ進む。この場合、ＳＤＲＡＭ１３の内容が消去されているため、ステップＳ１１でユーザによる撮影が実行された場合でも、ステップＳ１２により、撮影画像には位置情報は記録しない。
【００５５】
一方、ステップＳ７において、ＧＰＳ受信機２が位置情報を捕捉できる場合には（ステップＳ７：Ｙｅｓ）、表示制御部３４は、捕捉した位置情報をデジタルカメラ１の操作表示部１９に白色で表示する。表示される位置情報は、ＧＰＳ受信機２から受信される位置情報に依存して周期的に更新される。そして、位置取得部３１によって、受信した位置情報をリアルタイム位置情報としてＳＤＲＡＭ１３に保存する（ステップＳ１０）。そして、ユーザ２１により撮影が実行されると（ステップＳ１１：Ｙｅｓ）、ＳＤＲＡＭ１３に保存されているリアルタイム位置情報が撮影画像のヘッダ部へ記録される（ステップＳ１２，１３）。
【００５６】
ステップＳ３に戻り、位置情報使用モードが「記録位置情報使用モード」の場合には、まずＳＤＲＡＭ１３に位置情報が記録位置情報として記録されているか否かを調べる（ステップＳ１４）。そして、記録位置情報が記録されている場合には（ステップＳ１４：Ｙｅｓ）、記録位置情報をデジタルカメラ１の操作表示部１８に青色で表示する（ステップＳ１５）。そして、ユーザ２１により撮影が実行されると（ステップＳ１６：Ｙｅｓ）、ＳＤＲＡＭ１３に保存されている記録位置情報が撮影画像のヘッダ部へ記録される（ステップＳ１２：Ｙｅｓ、ステップＳ１３）。
【００５７】
一方、ステップＳ１４で、ＳＤＲＡＭ１３に位置情報が記録されていない場合には（ステップＳ１４：Ｎｏ）、表示制御部３４は位置情報が記録されていない旨をデジタルカメラ１の操作表示部１８に表示する（ステップＳ１７）。そして、モード制御部３３は、フラッシュメモリ１６の設定情報を参照して、設定情報が「併用」に設定されている場合には位置情報使用モードを位置情報併用モードへ切り替える（ステップＳ１８）。なお、設定情報が「併用」以外に設定されている場合には、かかるモード切替えは実行されない。
【００５８】
なお、設定情報として、自動的にリアルタイム位置情報使用モードへ切り替わる設定、及び自動的に切り替わらずに、位置情報が記録されていない場合は撮影画像のヘッダ部へは何も記録しない設定とするように構成してもよい。
【００５９】
ステップＳ３に戻り、位置情報使用モードが「位置情報併用モード」の場合には、位置取得部３１は、現在、位置情報が捕捉されているかどうかを確認する（ステップＳ６）。位置情報が捕捉されている場合は（ステップＳ６：Ｙｅｓ）、表示制御部３４は捕捉した位置情報を操作表示部１８に白色文字で表示する（ステップＳ１０）。表示される位置情報は、ＧＰＳ受信機２から受信される位置情報に依存して周期的に更新される。
【００６０】
そして、位置取得部３１は、受信した位置情報をＳＤＲＡＭ１３に保存する（ステップＳ１０ａ）。ユーザにより撮影が実行されると（ステップＳ１１：Ｙｅｓ）、ＳＤＲＡＭ１３に保存されている位置情報が撮影画像のヘッダ部へ記録される（ステップＳ１２：Ｙｅｓ、ステップＳ１３）。
【００６１】
一方、ステップＳ６で、位置情報が捕捉されていない場合は（ステップＳ６：Ｎｏ）、表示制御部３４は、ＳＤＲＡＭ１３に位置情報が記録されているか否かを調べる（ステップＳ１４）。
【００６２】
そして、位置情報が記録されている場合は（ステップＳ１４：Ｙｅｓ）、表示制御部３４は、記録されている位置情報を青色で操作表示部１８に表示し（ステップＳ１５）、ユーザ２１により撮影が実行されると（ステップＳ１６：Ｙｅｓ）、ＳＤＲＡＭ１３に保存されている位置情報が撮影画像のヘッダ部に記録される（ステップＳ１２：Ｙｅｓ、Ｓ１３）。
【００６３】
一方、ステップＳ１４において、位置情報が記録されていない場合は（ステップＳ１４：Ｎｏ）、表示制御部３４は位置情報が記録されていない旨を操作表示部１８に表示し（ステップＳ１７）、撮影画像には位置情報は記録しない（ステップＳ１８、Ｓ１６）。
【００６４】
このように撮像画像のＥｘｉｆヘッダ部に記録された位置情報は、表示制御部３４によって撮像画像を操作表示部１８の液晶表示部に表示される際に、画像データおよび他のＥｘｉｆのデータ（ＩＳＯ、露光等）とともに表示される。図１２は、位置情報を含む撮像画像が操作表示部１８に表示されている例を示す説明図である。図１２に示すように、画像データおよび他のＥｘｉｆのデータ（ＩＳＯ、露光等）とともに緯度、経度からなる位置情報１２０１が表示されていることがわかる。
【００６５】
このように本実施の形態にかかるデジタルカメラ１では、リアルタイム位置情報使用モードの他、記録位置情報使用モードおよび位置情報併用モードを設けて、ＳＤＲＡＭ１３に保存してある過去にＧＰＳから取得した位置情報を利用するので、ＧＰＳ受信機が使用できない屋内でも、撮影画像のヘッダ部に位置情報を記録することが可能となり、ユーザにとって撮像画像の位置情報記録の便宜となるという効果を奏する。
【００６６】
なお、本実施の形態のデジタルカメラ１で実行される撮像プログラムは、ＲＯＭ１２等に予め組み込まれて提供される。
【００６７】
本実施の形態のデジタルカメラ１で実行される撮像プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６８】
さらに、本実施の形態のデジタルカメラ１で実行される撮像プログラムを、インターネット等のネットワークに接続されたコンピュータ上に格納し、ネットワーク経由でダウンロードさせることにより提供するように構成しても良い。
【００６９】
また、本実施の形態のデジタルカメラ１で実行される撮像プログラムをインターネット等のネットワーク経由で提供または配布するように構成しても良い。
【００７０】
本実施の形態のデジタルカメラ１で実行される撮像プログラムは、上述した各部（位置取得部３１、位置記録部３２、モード制御部３３、入力制御部３５、表示制御部３４）を含むモジュール構成となっており、実際のハードウェアとしてはＣＰＵ（プロセッサ）が上記ＲＯＭ１２から撮像プログラムを読み出して実行することにより上記各部が主記憶装置上にロードされ、位置取得部３１、位置記録部３２、モード制御部３３、入力制御部３５、表示制御部３４が主記憶装置上に生成されるようになっている。
【００７１】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【００７２】
【図１】ＧＩＳシステムの構成図である。
【図２】本実施の形態に係るデジタルカメラのハードウェア構成を示すブロック図である。
【図３】デジタルカメラ機能部１９のソフトウェア構成を示す機能ブロック図である。
【図４】撮像画像のデータ構造図である。
【図５】ＧＰＳによる位置情報取得および位置情報記録の機能の使用の有無を指定するセットアップ画面の一例を示す模式図である。
【図６】位置情報使用モードの設定を入力させるセットアップ画面の一例を示す模式図である。
【図７】ＳＤＲＡＭの記録位置情報の消去タイミングの設定入力を行わせるセットアップ画面の一例を示す模式図である。
【図８】モード移行の指定入力を行わせるセットアップ画面の一例を示す模式図である。
【図９】本実施の形態のデジタルカメラの使用態様を示す説明図である。
【図１０】本実施の形態のデジタルカメラにおける位置情報記録処理の手順を示すフローチャートである。
【図１１−１】本実施の形態のデジタルカメラにおける位置情報記録処理の手順を示すフローチャート（図１０の続き）である。
【図１１−２】本実施の形態のデジタルカメラにおける位置情報記録処理の手順を示すフローチャート（図１０、１１の続き）である。
【図１２】位置情報を含む撮像画像が操作表示部１８に表示されている例を示す説明図である。
【符号の説明】
【００７３】
１  デジタルカメラ
２  ＧＰＳ受信機
１１  ＣＰＵ
１３  ＳＤＲＡＭ
１６  フラッシュメモリ
１７  Ｂｌｕｅｔｏｏｔｈ回路
１８  操作表示部
１９  デジタルカメラ機能部
３１  位置取得部
３２  位置記録部
３３  モード制御部
３４  表示制御部
３５  入力制御部
【図１】
2007202110.tif 000003
【図２】
2007202110.tif 000004
【図３】
2007202110.tif 000005
【図４】
2007202110.tif 000006
【図５】
2007202110.tif 000007
【図６】
2007202110.tif 000008
【図７】
2007202110.tif 000009
【図８】
2007202110.tif 000010
【図９】
2007202110.tif 000011
【図１０】
2007202110.tif 000012
【図１１−１】
2007202110.tif 000013
【図１１−２】
2007202110.tif 000014
【図１２】
2007202110.tif 000015